(57)【要約】【課題】  折畳み式携帯電話機のサブ表示部におけるＯＮ、ＯＦＦを、省電力状態の有無にかかわらず簡単に行うことができるようにする。【解決手段】  メイン表示部３３とサブ表示部３２とを備えた折畳み式携帯電話機１０に、サブ表示部３２の押下を検出して押下検出信号を制御部２３に出力するサブ表示部押下検出機構３５を設置する。制御部２３は、押下検出信号を受けると、サブ表示部３２が表示ＯＮ状態である場合には表示を省電力状態にし、サブ表示部３２が省電力状態である場合には表示をＯＮ状態にする。【選択図】      図１
2005027250.tif 000002
【特許請求の範囲】
【請求項１】
折畳み状態にて内面側となる部分にメイン表示部を、外面側となる部分にサブ表示部をそれぞれ備えると共に、前記メイン表示部、サブ表示部による表示を省電力状態に設定可能な表示制御手段を備えた折畳み式携帯電話機において、
前記サブ表示部の押下を検出して押下検出信号を前記表示制御手段に出力する押下検出手段を備え、
前記表示制御手段は、前記押下検出信号を受けると、前記サブ表示部が表示ＯＮ状態である場合には表示を省電力状態にし、前記サブ表示部が省電力状態である場合には表示をＯＮ状態にすることを特徴とする折畳み式携帯電話機。
【請求項２】
当該折畳み式携帯電話機が折畳み状態にあることを検出して折畳み検出信号を前記表示制御手段に出力する折畳み検出部を更に備え、
前記表示制御手段は、前記押下検出信号を受けると当該折畳み式携帯電話機が折畳み状態にあるかを判別し、
前記表示制御手段は、前記折畳み状態にあると判別しかつ前記サブ表示部が表示ＯＮ状態である場合には表示を省電力状態にし、前記折畳み状態にあると判別しかつ前記サブ表示部が省電力状態である場合には表示をＯＮ状態にすることを特徴とする請求項１に記載の折畳み式携帯電話機。
【請求項３】
前記サブ表示部は、電話機本体に設置された板状の表示モジュールの上面側を保護用の透明板でカバーして構成され、該透明板はその周縁部の少なくとも一部が伸縮性を持つ支持材で支持されていることにより押下可能にされており、前記支持材に隣接した箇所には前記透明板の下側に前記押下検出手段としてのスイッチが設けられていることを特徴とする請求項１または２に記載の折畳み式携帯電話機。
【請求項４】
前記サブ表示部は、電話機本体に設置された板状の表示モジュールの上面側を保護用の透明板でカバーして構成され、前記透明板は四角形状であってその四辺が伸縮性を持つ支持材で支持されていることにより押下可能にされており、前記透明板の４つのコーナに隣接した箇所であって該透明板の下側にそれぞれ前記押下検出手段としてのスイッチが設けられていることを特徴とする請求項１または２に記載の折畳み式携帯電話機。
【請求項５】
折畳み状態にて内面側となる部分にメイン表示部を、外面側となる部分にサブ表示部をそれぞれ備えると共に、前記メイン表示部、サブ表示部による表示を省電力状態に設定可能な表示制御手段を備えた折畳み式携帯電話機において、
前記サブ表示部の押下を検出して押下検出信号を前記表示制御手段に出力する押下検出手段を備え、
前記表示制御手段は、
前記サブ表示部が押下されたかを判別する第１のステップと、
前記サブ表示部が押下されたと判別すると前記サブ表示部の状態を判別する第２のステップと、
前記第２のステップにおいて前記サブ表示部が表示ＯＮ状態であると判別した場合には表示を省電力状態にする第３のステップと、
前記第２のステップにおいて前記サブ表示部が省電力状態であると判別した場合には表示をＯＮ状態にする第４のステップとを実行することを特徴とする折畳み式携帯電話機の表示部制御方法。
【請求項６】
折畳み状態にて内面側となる部分にメイン表示部を、外面側となる部分にサブ表示部をそれぞれ備えると共に、前記メイン表示部、サブ表示部による表示を省電力状態に設定する表示制御手段を備えた折畳み式携帯電話機において、
前記サブ表示部の押下を検出して押下検出信号を前記表示制御手段に出力する押下検出手段と、当該折畳み式携帯電話機が折畳み状態にあることを検出して折畳み検出信号を前記表示制御手段に出力する折畳み検出部とを更に備え、
前記表示制御手段は、
前記サブ表示部が押下されたかを判別する第１のステップと、
前記サブ表示部が押下されたと判別すると当該折畳み式携帯電話機が折畳み状態にあるかを判別する第２のステップと、
前記折畳み状態にあると判別すると前記サブ表示部の状態を判別する第３のステップと、
前記第３のステップにおいて前記サブ表示部が表示ＯＮ状態であると判別した場合には表示を省電力状態にする第４のステップと、
前記第３のステップにおいて前記サブ表示部が省電力状態であると判別した場合には表示をＯＮ状態にする第５のステップとを実行することを特徴とする折畳み式携帯電話機の表示部制御方法。
【発明の詳細な説明】
【技術分野】
【０００１】
本発明は折畳み式携帯電話機及びその表示部の制御方法に関する。
【背景技術】
【０００２】
近年、携帯電話機の表示部はカラー化、２画面化等、ますます電力を多く消費する傾向にある。そこで、携帯電話機においては、比較的電力を多く消費する表示部に対して省電力のために様々な改良が加えられている。例えば、タイマー設定機能を付加することで、使用者による操作の無い時間がある一定時間に達すると、自動的に表示部をスタンバイ状態にして省電力を実現する制御方法が採用されている（例えば、特許文献１参照）。
【０００３】
一方、表示部として、メイン表示部とサブ表示部とを備えた折畳み式携帯電話機が提供されている。メイン表示部は折畳み式携帯電話機を開いた状態で必要な情報を表示するためのものであり、サブ表示部は折畳み式携帯電話機を折り畳んだ状態で所定の情報を表示するためのものである。このため、メイン表示部は折畳み状態で内面側となる部位に設置され、サブ表示部は折畳み状態で外面側となる部位に設置される。メイン表示部、サブ表示部は、操作キーによる設定操作で省電力状態におくことができる。
【特許文献１】特開２００３−７８６０３号公報
【発明の開示】
【発明が解決しようとする課題】
【０００４】
ところで、上記のようなメイン表示部、サブ表示部を備えた折畳み式携帯電話機においては、折畳み状態にあってかつ省電力状態におかれているサブ表示部で表示内容を確認したい場合がある。この場合、例えば折畳み式携帯電話機の側面に設けられている操作キーを押下してサブ表示部をＯＮにするという方法が考えられる。しかし、この方法は折畳み式携帯電話機側面の操作キーを探す必要があり、操作キーはそれほど大きくないので探し出すまでに手間がかかるなどの問題がある。
【０００５】
一方、サブ表示部を一旦ＯＮにして表示内容を確認した後は、タイマー設定機能によって省電力状態にされるまでＯＮ状態が続き、これは、無駄な電力消費が続くことを意味する。
【０００６】
そこで、本発明の課題は、サブ表示部におけるＯＮ、ＯＦＦを、省電力状態の有無にかかわらず簡単に行うことのできる折畳み式携帯電話機及びその表示部の制御方法を提供することにある。
【課題を解決するための手段】
【０００７】
本発明による折畳み式携帯電話機は、折畳み状態にて内面側となる部分にメイン表示部を、外面側となる部分にサブ表示部をそれぞれ備えると共に、前記メイン表示部、サブ表示部による表示を省電力状態に設定可能な表示制御手段を備えた折畳み式携帯電話機であり、前記サブ表示部の押下を検出して押下検出信号を前記表示制御手段に出力する押下検出手段を備え、前記表示制御手段は、前記押下検出信号を受けると、前記サブ表示部が表示ＯＮ状態である場合には表示を省電力状態にし、前記サブ表示部が省電力状態である場合には表示をＯＮ状態にすることを特徴とする。
【０００８】
本発明による折畳み式携帯電話機においては、当該折畳み式携帯電話機が折畳み状態にあることを検出して折畳み検出信号を前記表示制御手段に出力する折畳み検出部を更に備えることにより、前記表示制御手段は、前記押下検出信号を受けると当該折畳み式携帯電話機が折畳み状態にあるかを判別し、前記表示制御手段は、前記折畳み状態にあると判別しかつ前記サブ表示部が表示ＯＮ状態である場合には表示を省電力状態にし、前記折畳み状態にあると判別しかつ前記サブ表示部が省電力状態である場合には表示をＯＮ状態にする。
【０００９】
本発明による折畳み式携帯電話機においてはまた、前記サブ表示部は、電話機本体に設置された板状の表示モジュールの上面側を保護用の透明板でカバーして構成され、該透明板はその周縁部の少なくとも一部が伸縮性を持つ支持材で支持されていることにより押下可能にされており、前記支持材に隣接した箇所には前記透明板の下側に前記押下検出手段としてのスイッチが設けられている。
【００１０】
本発明による折畳み式携帯電話機においては更に、前記サブ表示部は、電話機本体に設置された板状の表示モジュールの上面側を保護用の透明板でカバーして構成され、前記透明板は四角形状であってその四辺が伸縮性を持つ支持材で支持されていることにより押下可能にされており、前記透明板の４つのコーナに隣接した箇所であって該透明板の下側にそれぞれ前記押下検出手段としてのスイッチが設けられている。
【００１１】
本発明による折畳み式携帯電話機の表示部制御方法は、折畳み状態にて内面側となる部分にメイン表示部を、外面側となる部分にサブ表示部をそれぞれ備えると共に、前記メイン表示部、サブ表示部による表示を省電力状態に設定可能な表示制御手段を備えた折畳み式携帯電話機に適用される。
【００１２】
本発明による表示部制御方法の第１の態様によれば、前記サブ表示部の押下を検出して押下検出信号を前記表示制御手段に出力する押下検出手段を備えることにより、前記表示制御手段は、前記サブ表示部が押下されたかを判別する第１のステップと、前記サブ表示部が押下されたと判別すると前記サブ表示部の状態を判別する第２のステップと、前記第２のステップにおいて前記サブ表示部が表示ＯＮ状態であると判別した場合には表示を省電力状態にする第３のステップと、前記第２のステップにおいて前記サブ表示部が省電力状態であると判別した場合には表示をＯＮ状態にする第４のステップとを実行する。
【００１３】
本発明による表示部制御方法の第２の態様によれば、前記サブ表示部の押下を検出して押下検出信号を前記表示制御手段に出力する押下検出手段と、当該折畳み式携帯電話機が折畳み状態にあることを検出して折畳み検出信号を前記表示制御手段に出力する折畳み検出部とを更に備えることにより、前記表示制御手段は、前記サブ表示部が押下されたかを判別する第１のステップと、前記サブ表示部が押下されたと判別すると当該折畳み式携帯電話機が折畳み状態にあるかを判別する第２のステップと、前記折畳み状態にあると判別すると前記サブ表示部の状態を判別する第３のステップと、前記第３のステップにおいて前記サブ表示部が表示ＯＮ状態であると判別した場合には表示を省電力状態にする第４のステップと、前記第３のステップにおいて前記サブ表示部が省電力状態であると判別した場合には表示をＯＮ状態にする第５のステップとを実行する。
【発明の効果】
【００１４】
本発明によれば以下のような効果が得られる。
【００１５】
第１の効果は、サブ表示部をＯＮもしくは省電力状態にするための操作が容易になることである。その理由は、サブ表示部を一つの大きな面積を持つキーとすることができるので、従来のように小さな操作キーを探す手間が省けるからである。また、使用者がＯＮもしくは省電力状態にしたいサブ表示部自体をその操作キーとすることでユーザインターフェースが分かりやすくなるためである。
【００１６】
第２の効果は、サブ表示部の省電力状態を使用者が意識的に制御できることである。その理由は、サブ表示部がＯＮだった場合、サブ表示部を押下するだけでサブ表示部を省電力状態にすることが可能であるからである。
【００１７】
以上の点を要約すると、本発明による折畳み式携帯電話機は、サブ表示部自体を操作可能とすることで、使用者が容易に表示内容を確認でき、使用者はサブ表示部をＯＮにするだけではなく、ＯＦＦとすることも容易にできるので、使用者が意識的に節電を行うことができる。
【発明を実施するための最良の形態】
【００１８】
本発明は、折畳み式携帯電話機のメモリにあらかじめ設定してある省電力設定によって、表示部が省電力状態にされている状況において、使用者が表示部のＯＮもしくは省電力制御を容易に行うことを可能にするものである。
【００１９】
図３を参照して、本発明が適用される折畳み式携帯電話機（以下、携帯電話機と略称する）１０は、下側ユニット２０と上側ユニット３０とがヒンジ２１を介して回動自在に連結されて開いた状態及び折畳み状態が自在にされている。通常、下側ユニット２０の内面側（上面側）には複数の操作キーを含む操作部、マイクロフォン（いずれも図示せず）等が設置され、側面側には折畳み状態にある時に操作される１つ以上の操作キー２２が設置されている。一方、上側ユニット３０にはアンテナ３１が設置される他、内面側（下面側）にはメイン表示部、スピーカ（いずれも図示せず）等が設置され、外面側（上面側）にはサブ表示部３２が設置されている。
【００２０】
なお、図３に破線で示す領域には、その他の機能実現要素として、カメラ、着信ランプ、スピーカ、操作キー等が実装される場合もある。また、メイン表示部は携帯電話機１０を開いた状態で必要な情報を表示するためのものであり、サブ表示部は、主に携帯電話機１０を折り畳んだ状態で所定の情報を表示するためのものである。更に、メイン表示部、サブ表示部３２には、通常、バックライトを備えたＬＣＤが使用される。いずれにしても、上記の実装形態はあくまでも一例であり、本発明が適用される携帯電話機は上記のものに限定されるものではない。
【００２１】
メイン表示部、サブ表示部３２はいずれも省電力状態に設定することができ、携帯電話機１０が折り畳まれている場合、サブ表示部３２は表示ＯＮ状態もしくは省電力状態にある。
【００２２】
本発明は、サブ表示部３２に対して以下のような表示動作を可能にした点に特徴を有する。サブ表示部３２が省電力状態にある時、使用者は表示内容を確認する場合、サブ表示部３２自体を押下することによって表示ＯＮ状態となり、表示内容を確認することができる。一方、サブ表示部３２が表示ＯＮ状態にあって、使用者が表示を省電力状態にしたい場合、サブ表示部３２自体を押下することによりサブ表示部３２を省電力状態にすることができる。
【００２３】
なお、本発明におけるメイン表示部、サブ表示部３２の省電力状態とは以下の状態を含む。
【００２４】
第一にＬＣＤによる表示方式においてバックライトを消灯または暗くすること。 
第二にＬＣＤによる表示方式においてＬＣＤをＯＦＦまたは減色表示（カラーの場合）すること。
【００２５】
また、メイン表示部、サブ表示部３２の表示ＯＮ状態とは以下の状態を含む。
【００２６】
第一にＬＣＤによる表示方式においてバックライトを点灯または明るくすること。 
第二にＬＣＤによる表示方式においてＬＣＤを表示または全色表示（カラーの場合）すること。
【００２７】
図１、図２を参照して、本発明による携帯電話機の実施の形態について説明する。図１は本発明による携帯電話機におけるメイン表示部、サブ表示部の制御系のブロック図である。
【００２８】
図１において、携帯電話機１０は、制御部２３、複数のキーによる操作部２４、省電力設定用のメモリ２５、折畳み検出部２６、サブ表示部３２、メイン表示部３３を有している。本発明による携帯電話機１０は更に、サブ表示部押下検出機構３５を備えている。
【００２９】
図２を参照して、上記のサブ表示部押下検出機構３５について説明する。図２は本実施の形態におけるサブ表示部３２の内部構造を概略的に示している。前述したように、携帯電話機の表示部にはＬＣＤが広く使われている。本形態によるサブ表示部３２も、四角形のＬＣＤによる表示モジュール３２−１を有する。表示モジュール３２−１を構成しているガラス材が割れないようにするため、表示モジュール３２−１の上面側をこれより大きな四角形の透明板３２−２でカバーするようにしている。特に、表示モジュール３２−１の上面側と透明板３２−２下面側との間には少し隙間ができるようにしている。透明板３２−２にはアクリル樹脂などの固い板が使用される。
【００３０】
透明板３２−２は、少なくともその２辺において固定材３２−３、３２−４により上側ユニットの所定の位置に設置される。本実施の形態においては、一方の固定材３２−４に伸縮性のある材料を用いている。伸縮性のある材料としては、例えば弾性ゴム材があげられる。加えて、表示モジュール３２−１と固定材３２−４との間にわずかなスペースを形成し、このスペースを利用して押下検出スイッチ３２−５を設置することでサブ表示部押下検出機構３５を構成している。つまり、透明板３２−２に使用者の手指による荷重が加わると、透明板３２−２が沈み込んで押下検出スイッチ３２−５を押す。これにより押下検出スイッチ３２−５が動作してサブ表示部３２が押されたことを検出する。
【００３１】
次に、本実施の形態における携帯電話機１０のメイン表示部３３、サブ表示部３２の動作について、図４、図５をも参照して説明する。
【００３２】
図５は、メイン表示部３３、サブ表示部３２における通常の表示制御動作の流れを示すフローチャート図である。以下で説明される動作は、制御部２３がメモリ２５の記憶内容、折畳み検出部２６の検出信号、操作部２４及び操作キー２２からの信号を用いてメイン表示部３３、サブ表示部３２を制御することで実行される。
【００３３】
図５において、制御部２３はステップ５−２において携帯電話機１０が折畳み状態であるかどうかを判別し、Ｎｏ、つまり開いているならば、ステップ５−９においてメイン表示部３３をＯＮとし、サブ表示部３２をＯＦＦとする。その際、メモリ２５に表示部省電力設定がなされていると、その設定に従って制御部２３はメイン表示部３３を省電力状態へと移行させる。つまり、制御部２３は、ステップ５−９の動作終了後、ステップ５−１０においてメモリ２５に対して表示部省電力設定の有無を確認し、表示部省電力設定があることを判別すると、それからＮ秒後にメイン表示部３３を省電力状態へと移行させる（ステップ５−１２）。なお、Ｎ秒の間、制御部２３はいずれかのキー操作があるかどうかを判別し（ステップ５−１１）、キー操作がある場合にはステップ５−９に戻り、Ｎ秒間キー操作が無い場合にステップ５−１２に移行する。
【００３４】
ステップ５−１２の後、制御部２３は、いずれかのキー操作が行なわれたどうかを判別し（ステップ５−１３）、キー操作が無ければステップ５−１４に移行して携帯電話機１０が折畳み状態であるかどうかを判別する。ステップ５−１３においてキー操作ありと判別された場合にはステップ５−９に戻るが、ステップ５−１４において携帯電話機１０が開状態であると判別された場合にはステップ５−１２に戻る。これは、ステップ５−１３においてキー操作無しと判別され、ステップ５−１４において携帯電話機１０が開と判別されている間、携帯電話機１０が折畳まれるまではメイン表示部３３は省電力状態を保つことを意味する。
【００３５】
その後、携帯電話機１０が折畳まれると、折畳み検出部２６により折畳み状態が検出され、この検出信号を受けた制御部２３はステップ５−３に移行してメイン表示部３３をＯＦＦとし、サブ表示部３２をＯＮとする。
【００３６】
その状態でメモリ２５に表示部省電力設定がなされていると、その設定に従い制御部２３はサブ表示部３２を省電力状態へと移行させる。この場合も、制御部２３は、ステップ５−３の動作終了後、ステップ５−４においてメモリ２５に対して表示部省電力設定の有無を確認し、表示部省電力設定があることを判別すると、それからＭ秒後にサブ表示部３２を省電力状態へと移行させる（ステップ５−６）。なお、Ｍ秒の間、制御部２３はステップ５−５においてキー操作があるかどうかを判別し、キー操作がある場合にはステップ５−３に戻り、Ｍ秒間キー操作が無い場合にステップ５−６に移行する。Ｎ秒とＭ秒は同じ値、異なる値のいずれでも良い。
【００３７】
ステップ５−６の後、制御部２３は、いずれかのキー操作が行なわれたどうかを判別し（ステップ５−７）、キー操作が無ければステップ５−８に移行して携帯電話機１０が折畳み状態であるかどうかを判別する。ステップ５−７においてキー操作ありと判別された場合にはステップ５−３に戻るが、ステップ５−８において携帯電話機１０が折畳み状態であると判別された場合にはステップ５−６に戻る。これは、ステップ５−７においてキー操作無しと判別され、ステップ５−８において携帯電話機１０が折り畳み状態と判別されている間、携帯電話機１０が開かれるまではサブ表示部３２は省電力状態を保つことを意味する。
【００３８】
その後、携帯電話機１０が開かれると、折畳み検出部２６により開状態が検出され、この検出信号を受けた制御部２３はステップ５−９に移行する。
【００３９】
本形態では更に、使用者がサブ表示部３２を押下した場合、制御部２３は図４のフローチャート図に基づく制御動作を実行する。
【００４０】
図４において、制御部２３はステップ４−２において使用者がサブ表示部３２を押下したかどうかを判別し、押下したと判別するとステップ４−３に移行して携帯電話機１０が折畳み状態にあるかどうかを判別する。携帯電話機１０が折畳み状態にあると判別されると、制御部２３はステップ４−４においてサブ表示部３２がＯＮ状態であるかどうかを判別し、判別結果がＮｏ、つまりサブ表示部３２が省電力状態にあればサブ表示部３２をＯＮにし（ステップ４−８）、ステップ４−２に戻る。これは、携帯電話機１０が折畳まれた状態で使用者がサブ表示部３２を押下すると、制御部３２はサブ表示部３２が省電力状態にあればサブ表示部３２をＯＮにすることを意味する。
【００４１】
なお、ステップ４−３において携帯電話機１０が開状態にあると判別されると、ステップ４−２に戻る。また、ステップ４−４においてサブ表示部３２がＯＮ状態にあればサブ表示部３２を省電力状態にし（ステップ４−５）、ステップ４−２に戻る。これは、携帯電話機１０が折畳まれた状態で使用者がサブ表示部３２を押下すると、サブ表示部３２がＯＮであればサブ表示部３２を省電力状態にすることを意味する。なお、ステップ４−２において、判別結果がＮｏであれば、制御動作は図５の動作に移行する。
【００４２】
以上、本発明を好ましい実施の形態について説明したが、本発明は上記の実施の形態に限定されず、以下のような変形例で実施されても良い。
【００４３】
変形例１：カメラ付折畳み式携帯電話機のファインダー切り替え
メイン表示部とサブ表示部とを備えたカメラ付折畳み式携帯電話機において、カメラ付折畳み式携帯電話機を開いている場合でもサブ表示部を使用可能とする。つまり、メイン表示部、サブ表示部のいずれでもファインダーとして使用可能とし、ファインダー切り替えをサブ表示部の押下により行う。
【００４４】
変形例２：図２に示すサブ表示部３２の四隅に、それぞれ押下検出スイッチを設置し、１つのサブ表示部３２で４つの押下検出入力を可能とする。この場合、透明板３２−２の固定材として伸縮性のある固定材を透明板３２−２の四辺すべてに使用する。このような構造をとることでサブ表示部３２の四隅それぞれが別の検出を行うことができる。
【産業上の利用可能性】
【００４５】
本発明は、２つの表示部を備えた折畳み式携帯電話機全般に適用可能である。
【図面の簡単な説明】
【００４６】
【図１】本発明による折畳み式携帯電話機におけるメイン表示部、サブ表示部の制御系のブロック図である。
【図２】本発明による折畳み式携帯電話機におけるサブ表示部の内部構造を概略的に示した図である。
【図３】本発明が適用される折畳み式携帯電話機の外観図である。
【図４】本発明による折畳み式携帯電話機のサブ表示部に適用される表示制御動作の流れを示すフローチャート図である。
【図５】本発明による折畳み式携帯電話機のメイン表示部、サブ表示部における通常の表示制御動作の流れを示すフローチャート図である。
【符号の説明】
【００４７】
１０    折畳み式携帯電話機
２０    下側ユニット
２１    ヒンジ
２２    操作キー
３０    上側ユニット
３１    アンテナ
３２    サブ表示部
３２−１    表示モジュール
３２−２    透明板
３２−３、３２−４    固定材
３２−５    押下検出スイッチ
【図１】
2005027250.tif 000003
【図２】
2005027250.tif 000004
【図３】
2005027250.tif 000005
【図４】
2005027250.tif 000006
【図５】
2005027250.tif 000007